(57)【要約】【課題】簡易かつ迅速に装着でき、かつ、ステーの位置ずれを抑制できる関節用装具を提供すること。【解決手段】関節用装具は、患部を固定するためのステーと、ステーを収容するポケット部を備える本体部と、本体部を患部に固定する少なくとも一つの固定部と、ステーをポケット部内に保持するフラップ部とを備える。【選択図】図１
2019170434.tif 000002
【特許請求の範囲】
【請求項１】
患部を固定するためのステーと、
ステーを収容するポケット部を備える本体部と、
前記本体部を患部に固定する少なくとも一つの固定部と、
ステーを前記ポケット部内に保持するフラップ部と、
を備える、関節用装具。
【請求項２】
前記フラップ部が、前記ポケット部の出口側に配置される、請求項１に記載の関節用装具。
【請求項３】
前記患部が、足首の関節である、請求項１または２に記載の関節用装具。
【請求項４】
前記固定部が、第一の固定部材を備え、
前記第一の固定部材によって、前記本体部が脛及び／又は足首に固定される、請求項３に記載の関節用装具。
【請求項５】
前記本体部が、第二の固定部材を備え、
前記第二の固定部材は、足の甲を固定する、請求項３または４に記載の関節用装具。
【請求項６】
前記本体部が、第三の固定部材を備え、
前記第三の固定部材は、足首に交差して巻き付けられ、足首を固定する、請求項３〜５のいずれか一項に記載の関節用装具。
【請求項７】
前記本体部が、くるぶしを保護するための保護部材を更に備える、請求項３〜６のいずれか一項に記載の関節用装具。
【発明の詳細な説明】
【技術分野】
【０００１】
本発明は、関節用装具に関し、特に、キャストステーを収容した本体部を用いて足首等の関節を固定する関節用装具に関する。
【背景技術】
【０００２】
従来から、整形外科領域の医療現場において、水硬化性のキャストステー（以下、単にステーという）を装具に備え付け、患部が適切な肢位になるように外固定する処置が行われている。
【０００３】
このような処置に使用する装具として、例えば、特許文献１には、湿気不浸透性のスリーブと、スリーブ内に配置される水硬化性の副木と、四肢に副木を保持するための長尺状の巻付け手段と、その後の治療段階において四肢に適用する取外し可能なギプスと、を含む、多段階整形外科的システムが開示されている。
【先行技術文献】
【特許文献】
【０００４】
【特許文献１】特表２０１４−５０３２４５号公報
【発明の概要】
【発明が解決しようとする課題】
【０００５】
しかしながら、このような水硬化性のステーを装具に備え付けて患部に装着し、ステーを硬化させる場合、処置に時間がかかると、患部が適切な肢位で固定されないままステーが硬化してしまい、十分な固定効果が得られないおそれがある。また、ステーの硬化後に患者が歩行等によって患部を動かすと、ステーが取り付け位置からずれてしまったり、ステーの基布が摩耗してしまったりするおそれがある。
【０００６】
本発明は、このような状況に鑑みてなされたものであり、患部を簡易かつ迅速に固定し、かつ、ステーの硬化後に患部を動かしても、ステーの位置ずれを抑制することができる関節用装具を提供することを目的とする。
【課題を解決するための手段】
【０００７】
上記課題を解決するために、本発明の一実施形態である関節用装具は、患部を固定するためのステーと、ステーを収容するポケット部を備える本体部と、前記本体部を患部に固定する少なくとも一つの固定部と、ステーを前記ポケット部内に保持するフラップ部と、を備える。
【発明の効果】
【０００８】
本発明に係る関節用装具によれば、患部を簡易かつ迅速に固定し、かつ、ステーの硬化後に患部を動かしても、ステーの位置ずれを抑制することができる。
【図面の簡単な説明】
【０００９】
【図１】本発明の第１実施形態に係る関節用装具の開いた状態の外側面を示す模式図及び部分拡大図である。
【図２】本発明の第１実施形態に係る関節用装具の開いた状態の内側面を示す模式図である。
【図３】本発明の第１実施形態に係る関節用装具の装着手順を示す模式図である。
【図４】本発明の第１実施形態に係る関節用装具の装着手順を示す模式図である。
【図５】本発明の第１実施形態に係る関節用装具の装着手順を示す模式図である。
【図６】本発明の第１実施形態に係る関節用装具の装着手順を示す模式図である。
【図７】本発明の第１実施形態に係る関節用装具の装着手順を示す模式図である。
【図８】本発明の第１実施形態に係る関節用装具の装着後の状態を示す模式図である。
【図９】本発明の第２実施形態に係る関節用装具の装着手順を示す模式図である。
【図１０】本発明の第２実施形態に係る関節用装具の装着手順を示す模式図である。
【発明を実施するための形態】
【００１０】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の実施例及びその変形例のいずれかを組み合わせることもできる。
【００１１】
＜１．第１実施形態に係る関節用装具＞
図１から図８を用いて、本発明の第１実施形態に係る関節用装具について説明する。本実施形態に係る関節用装具は、足首の関節を固定する足首用装具である。
【００１２】
（１）関節用装具の構成例
図１及び図２を用いて、本実施形態に係る関節用装具の構成について説明する。なお、各図面において共通する符号については、特に必要のない限り説明を省略する。
【００１３】
図１（ａ）は、本実施形態に係る関節用装具の開いた状態の外側面を示す模式図であり、図１（ｂ）は、図１（ａ）の点線で示した部分Ａの拡大図である。図２は、本実施形態に係る関節用装具の開いた状態の内側面を示す模式図である。
図１（ａ）に示すように、本実施形態に係る足首の関節用装具１は、本体部２と、本体部２を脛に固定する脛ベルト３１および本体部２を足首に固定する足首ベルト３２を有する第一の固定部材と、足の甲を固定する甲ベルト２３Ｌおよび２３Ｒを有する第二の固定部材と、足首に交差して巻き付けられ、足首を固定するクロスベルト２４Ｌおよび２４Ｒを有する第三の固定部材と、を備えている。以下、各部についてより詳細に説明する。
【００１４】
（１−１）本体部２について
本体部２は、平面形状が略扇形形状で、関節用装具１を装着したときに足首に接する内側面と、その反対側の外側面と、を有している。
図１（ａ）に示すように、本体部２の外側面にはカバー部２１Ｌとベース部２２Ｌ、およびカバー部２１Ｒとベース部２２Ｒで構成されるポケット部が左右対称に形成されており、例えば水硬化性ステー（キャストステー）を収容することができる。また、図１（ｂ）に示すように、カバー部２１Ｌの内側には面ファスナ部４１Ｌが形成されており、ベース部２２Ｌには、ステーを保持するためのフラップ部５Ｌが形成されている。同様に、カバー部２１Ｒの内側には面ファスナ部４１Ｒが形成されており、ベース部２２Ｒにはフラップ部５Ｒ（図示略）が形成されている。また、本体部２の下方には、かかとに当接する開口部２５が形成されている。
【００１５】
フラップ部５Ｌおよび５Ｒの形状は、ポケット部内に収容するステーをしっかりと固定できるのであればどのような形状であってもよい。ステーをしっかりと固定し、足首を動かしたときの位置ずれを抑制するためには、図１（ｂ）に示すように、フラップ部５Ｌにおいてポケット部の出口側の２辺がベース部２２Ｌに縫い付けられていることが好ましい。
【００１６】
図２に示すように、本体部２の内側面には、くるぶしを保護するための保護部材２７Ｌ、２７Ｒが設けられている。保護部材２７Ｌ、２７Ｒを設けることにより、硬化後のステーがくるぶしに当たった際に、痛みを生じることを防ぐことができる。なお、硬化後のステーがくるぶしに当たっても痛みを生じない場合には、保護部材２７Ｌ、２７Ｒを設けなくてもよい。
【００１７】
本体部２、フラップ部５Ｌおよび５Ｒを構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００１８】
また、本体部２、フラップ部５Ｌおよび５Ｒの編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッシェル生地、パイル編生地、添え糸編生地等が利用できる。
【００１９】
ここで、ダブルラッセル生地は一本の糸から編目を作りながらループと呼ばれる輪をつなぎ合わせて作り、ループがもつ弾力性で伸長力に寄与することができ、このループから空気を透過させる事ができる。このため、ダブルラッセル生地を用いることにより、通気性を確保することができる。
【００２０】
本体部２の外側面は、脛ベルト３１、足首ベルト３２、クロスベルト２４Ｌおよび２４Ｒを係着させるために、糸素材がループ状に起毛されている面ファスナとすることが好ましい。また、フラップ部５Ｌ、５Ｒの外側面も、カバー部２１Ｌ、２１Ｒを係着させるために、糸素材がループ状に起毛されている面ファスナとすることが好ましい。
【００２１】
（１−２）固定部材について
第一の固定部材は、図１（ａ）において、本体部２の上部右側から右方向に向かって取り付けられており、本体部２を脛に固定する脛ベルト３１と、本体部２を足首に固定する足首ベルト３２とを有する。脛ベルト３１と足首ベルト３２は、それぞれカバー部２１Ｒの内側面に取り付けられることが好ましい。また、図２に示すように、脛ベルト３１および足首ベルト３２の端部の内側面には、面ファスナ部４２および４３が形成されている。
【００２２】
第二の固定部材は、図１（ａ）に示すように、本体部２の下部において左右方向に向かって形成されている甲ベルト２３Ｌおよび２３Ｒを有する。甲ベルト２３Ｌおよび２３Ｒは、足の甲を固定するために用いられる。図２に示すように、甲ベルト２３Ｌの端部の内側面には、面ファスナ部４４が形成されている。面ファスナ部４４を係着させるために、甲ベルト２３Ｒの外側面は糸素材がループ状に起毛されている面ファスナとすることが好ましい。
甲ベルト２３Ｒには、足首前面を保護する保護部材２６を設けることができる。保護部材２６を設けることにより、固定部材が触れて足が傷つくことを防ぐことができる。
【００２３】
第三の固定部材は、図１（ａ）に示すように、本体部２の下部中央から左右方向に向かって形成されているクロスベルト２４Ｌおよび２４Ｒを有する。クロスベルト２４Ｌおよび２４Ｒは、足首に交差して巻き付けられ、足首を固定するために用いられる。図２に示すように、クロスベルト２４Ｌおよび２４Ｒの端部の内側面には、面ファスナ部４５Ｌおよび４５Ｒが形成されている。
【００２４】
本実施形態では、第一の固定部材が本体部２の右方向に２つ、第二の固定部材および第三の固定部材が本体部２の下部から左右にそれぞれ１つずつ形成されているが、固定部材の数やその取り付け位置はこれに限られない。
また、本実施形態に係る関節用装具１では、面ファスナ部４２、４３、４４、４５Ｌおよび４５Ｒに面ファスナが設けられ、本体部２の外側面に糸素材がループ状に起毛されて、係着させる構造となっているが、本体部２の外側面に面ファスナを設け、各固定部材の端部を糸素材がループ状に起毛された構成としてもよい。また、これらを係着させる構造は面ファスナに限らず、公知の係着構造を採用することができ、例えばバックルやスナップボタンを用いてもよい。
【００２５】
（１−３）ステーについて
本体部２のカバー部２１Ｌとベース部２２Ｌとの間のポケット部、およびカバー部２１Ｒとベース部２２Ｒとの間のポケット部にはステーが収容される。ステーは、含水させた後に乾かして固めるものであり、強度を出すための芯材を備えている。芯材は、基布と、基布に含浸する水硬化性樹脂とで構成され、これらの厚みや材質によってステーの強度を出している。
【００２６】
ステーの基布は、柔軟であって、低水分率で引張強度が高く、水硬化性樹脂に非反応性でかつ濡れやすい素材から作られた編物、織物、不織布等を使用することができる。例えば、ガラス繊維、アラミド繊維、ポリエステル繊維、ポリオレフィン繊維、ポリアミド繊維、ポリアクリル繊維、レーヨン繊維、綿繊維等を用いた編物、織物、不織布を用いることができ、これらを単独または任意に選択して組み合わせてもよい。特にガラス繊維、ポリエステル繊維の糸を用いてラッシェル編みしたものが好ましく、厚さは約０．０８〜５ｍｍ程度にすることが好ましい。
【００２７】
水硬化性樹脂は、水分と接触することにより硬化する樹脂であり、例えばポリオール類と過剰のポリイソシアネート類の反応から得られるポリウレタンプレポリマーを用いることができる。
【００２８】
（２）関節用装具の装着手順の一例
本実施形態に係る関節用装具１の装着手順の一例について、図３〜図８を参照しながら説明する。なお、各図面において共通する符号については、特に必要のない限り説明を省略する。
本実施形態では、患者の右足に装着する手順の一例について説明する。なお、本発明に係る関節用装具は、患者の左右どちらの足にも装着することができる。
【００２９】
はじめに、関節用装具１に収容するステー６の準備を行う。まず、アルミパウチから採型前のステー６を取り出し、取り出したステー６を含水させる。そして、含水させたステー６から余分な水分を除去する。
【００３０】
次に、図３に示すように、余分な水分を除去したステー６を、本体部２のカバー部２１Ｌとベース部２２Ｌとの間のポケット部に収容し、図４に示すようにフラップ部５Ｌでステー６の位置を固定した後、面ファスナ部４１Ｌでポケット部を閉じる。同様に、カバー部２１Ｒとベース部２２Ｒとの間のポケット部にもステー６を収容し、フラップ部５Ｒ（図示略）でステー６の位置を固定した後、面ファスナ部４１Ｒでポケット部を閉じる。
【００３１】
関節用装具１にステー６を収容した後、関節用装具１を患者の右足首ＲＡに装着する。具体的には、まず患者のかかとを開口部２５に当接させ、患者の右足首ＲＡを本体部２の内側面に密着させた後、図５に示すように、甲ベルト２３Ｌおよび２３Ｒを足の甲に巻き付け、面ファスナ部４４（図示略）を甲ベルト２３Ｒに係着させる。
【００３２】
次に、図６に示すように、脛ベルト３１および足首ベルト３２を脛側からふくらはぎ側に回して巻き付け、面ファスナ部４２、４３（図示略）をそれぞれ本体部２の外側面に係着させる。
【００３３】
そして、図７に示すように、クロスベルト２４Ｌおよび２４Ｒを足首に交差するように巻き付け、それぞれ図８に示すように本体部２の外側面に係着させる。
【００３４】
以上のように、本実施形態に係る関節用装具１は、含水させたステー６を左右のポケット部に収容し、フラップ部５Ｌおよび５Ｒで位置を固定することにより、簡易かつ迅速に装着でき、かつ、ステー６の硬化後に足首を動かしても、ステー６の位置がずれることを抑制できる。
【００３５】
＜２．第２実施形態に係る関節用装具＞
図９および図１０を用いて、本発明の第２実施形態に係る関節用装具について説明する。本実施形態に係る関節用装具１１は、手首の関節を固定する手首用装具である。
【００３６】
図９に示すように、本実施形態に係る手首の関節用装具１１は、本体部１２と、固定部材１３１、１３２および１３３と、を備えている。本体部１２は、平面形状が略矩形で、カバー部１２１とベース部１２２で構成されるポケット部が形成され、ポケット部内にステーを保持するためのフラップ部１５が形成されている。
【００３７】
ステーを収容する際は、含水させたステー１６をカバー部１２１とベース部１２２との間のポケット部に収容し、図１０に示すようにフラップ部１５でステー１６の位置を固定した後、面ファスナ部１４１でポケット部を閉じる。フラップ部１５でステー１６の位置を固定することにより、簡易かつ迅速に装着でき、かつ、ステー１６の硬化後に手首を動かしても、ステー１６の位置がずれることを抑制することができる。
【００３８】
以上の実施形態で示したように、本発明に係る関節用装具は、ステーをポケット部内に保持するフラップ部を設けることにより、簡易かつ迅速に装着でき、かつ、ステーの硬化後に患部を動かしても、ステーの位置ずれを抑制することができる。なお、本発明に係る関節用装具は、ステーを収容して用いる関節用装具であれば、上記で説明した足首や手首用に限らず、腰用や膝用等の種々の関節用装具にも適用することができる。
【符号の説明】
【００３９】
１、１１  関節用装具
２、１２  本体部
２１Ｌ、２１Ｒ、１２１  カバー部
２２Ｌ、２２Ｒ、１２２  ベース部
２３Ｌ、２３Ｒ  甲ベルト
２４Ｌ、２４Ｒ  クロスベルト
２６、２７Ｌ、２７Ｒ  保護部材
３１  脛ベルト
３２  足首ベルト
５Ｌ、５Ｒ、１５  フラップ部
６、１６  ステー
【図１】
2019170434.tif 000003
【図２】
2019170434.tif 000004
【図３】
2019170434.tif 000005
【図４】
2019170434.tif 000006
【図５】
2019170434.tif 000007
【図６】
2019170434.tif 000008
【図７】
2019170434.tif 000009
【図８】
2019170434.tif 000010
【図９】
2019170434.tif 000011
【図１０】
2019170434.tif 000012